(57)【特許請求の範囲】
【請求項１】
上部に飲み口が設けられた器部と、
該器部の下方に位置し、前記器部に注がれた液体飲料を貯留するための貯留空間を備えた貯留部と、
を有し、
前記器部の底壁周囲と前記貯留部の周壁上端とが連接され、
前記器部と前記貯留部とを連通させる連通孔が前記器部の底壁に設けられ、
前記貯留部の周壁上部に前記貯留空間と外気とを連通させる空気抜き孔が設けられて、
該空気抜き孔を前記貯留部の外側から指で塞ぐか否かにより前記器部と前記貯留部との間で前記連通孔を通しての液体飲料の移動の有無が選択可能とされていることを特徴とする飲用容器。
【請求項２】
前記器部には、前記連通孔を塞がずに且つ上方から見えないようにするための遮蔽部が設けられていることを特徴とする請求項１に記載された飲用容器。
【発明の詳細な説明】
【技術分野】
【０００１】
本発明は液体飲料を受け、飲むために使用する飲用容器に関する。
【背景技術】
【０００２】
従来から、下端部が尖っていて注がれた酒を飲み干さない限り置くことができない盃が知られている。
【０００３】
また、この他にも、光の屈折を利用して酒を注いだときにだけ女性の絵が浮かび上がる盃や、飲み口に女性の唇の絵柄が印刷された液体飲料用器（特許文献１参照）等、余興的機能を有する盃が知られている。
【特許文献１】実登３０１１３１１号公報
【発明の開示】
【発明が解決しようとする課題】
【０００４】
ところで、酒をあまり飲まない人や酒が全く飲めない人にとっては、酒席で酒を飲むように勧められることは大きなストレスとなり、かといって飲まずにいると酒席の場をしらけさせてしまうおそれがあった。
【０００５】
従来例の盃は、酒を飲む人を前提としており、酒をあまり飲まない人や酒が全く飲めない人、更には、体調のすぐれない人にとっては、酒席の場が楽しめないばかりか、酒を飲むことを強要されるおそれがあった。
【０００６】
そこで、酒を飲む人にとっても酒をあまり飲まない人にとっても、楽しく、酒席を盛り上げることができるのは勿論、酒だけではなく、一般的な液体飲料にも使用できる飲用容器を提供することを目的にしている。
【課題を解決するための手段】
【０００７】
上記目的を達成するために請求項１に記載された発明は、上部に飲み口が設けられた器部と、該器部の下方に位置し、前記器部に注がれた液体飲料を貯留するための貯留空間を備えた貯留部と、を有し、前記器部の底壁周囲と前記貯留部の周壁上端とが連接され、前記器部と前記貯留部とを連通させる連通孔が前記器部の底壁に設けられ、前記貯留部の周壁上部に前記貯留空間と外気とを連通させる空気抜き孔が設けられて、該空気抜き孔を前記貯留部の外側から指で塞ぐか否かにより前記器部と前記貯留部との間で前記連通孔を通しての液体飲料の移動の有無が選択可能とされている飲用容器を特徴としている。
【０００８】
そして、請求項２記載のものは、前記器部には、前記連通孔を塞がずに且つ上方から見えないようにするための遮蔽部が設けられている請求項１に記載された飲用容器を特徴としている。
【発明の効果】
【０００９】
請求項１に記載された発明は、貯留部の上部に空気抜き孔が設けられていて、これを指で塞ぎながら液体飲料を注いでもらうと器部を満たすことができ、口を付けて頂戴しながら指を離し、空気抜き孔を開放して、器部から貯留部へ液体飲料を流し込むことによって、あたかも、飲み干したかのように見せることができる。
【００１０】
或いは、空気抜き孔を塞がないで液体飲料を受け、注いでも注いでも器部に貯まらないので驚く様子を楽しむことができる。
【００１１】
また、貯留部に貯まっている液体飲料を飲むときには、空気抜き孔を塞いだまま、器部を口元に持ってゆき、飲用容器を傾けて、まず器部に貯まっている液体飲料を飲み、器部に貯まっている液体飲料を飲み終えたところで、空気抜き孔が上方にくるようにした状態で空気抜き孔を開放すると、貯留部に貯まっていた液体飲料を連通孔を介して器部に流れ出させて飲むことができる。
【００１２】
このように、液体飲料を器部にだけでなく、貯留部にも貯めて飲むことができるので、沢山の液体飲料を飲むことができる。
【００１３】
更に、請求項２に記載された発明は、連通孔を覆って遮蔽部が設けられているため、注ぐ人には連通孔が見えないので、器部に液体飲料を注いだ際に、液体飲料が連通孔を通って貯留部に入っていく様子も注ぐ人には見えず、注いでも注いでも器部には液体飲料が貯まらないため、注ぐ人をびっくりさせることができ、その場を盛り上げることができる。
【発明を実施するための最良の形態】
【００１４】
以下、本発明に係る実施の形態の実施例に基づいて本発明を説明する。
【実施例】
【００１５】
図１乃至図６に基づいて実施例の飲用容器を説明する。
【００１６】
〈構成〉
図１は実施例の飲用容器の全体斜視図であり、図２は図１の飲用容器のＡ−Ａ断面図である。
【００１７】
図１において、１は実施例の飲用容器である。
【００１８】
飲用容器１は、盃部２と、貯留部３とを有し、全体として略回転対称形状を呈している。
【００１９】
盃部２は、上方に向かうにしたがって拡径している略回転放物面形状を呈しており、上端部が飲み口２ａになっている。
【００２０】
盃部２の下方には貯留部３が連接して形成され、盃部２の底壁２ｂには盃部２と貯留部３とを連通させる連通孔４が設けられている。
【００２１】
貯留部３は上部を底壁２ｂで塞がれた扁平球体形状を呈し、図２に示すように、周壁３ａと底壁３ｂとによって構成されている。
【００２２】
貯留部３の内部には液体飲料としての酒を貯留するための貯留空間３ｃが形成されている。
【００２３】
盃部２には、連通孔４を塞がずに且つ上方から見えないようにするための遮蔽部５が設けられている。
【００２４】
遮蔽部５は全体として亀の形状を呈し、遮蔽部５は胴体部５ａと４つの脚部５ｂとを有している。
【００２５】
胴体部５ａから延びる４つの脚部５ｂが連通孔４の周囲の底壁２ｂに配設され、遮蔽部５が連通孔４を塞がないように固定されている。
【００２６】
貯留部３の周壁３ａ上部には、貯留空間３ｃと外気とを連通させる空気抜き孔６が設けられており、空気抜き孔６を指でもって開閉することにより、盃部２に注がれた酒を選択的に流し込めるようになっている。
【００２７】
貯留部３の底壁３ｂの下面側には、飲用容器１を安定して支える脚としての糸尻部７が設けられている。
【００２８】
〈空気抜き孔の機能の説明（酒を注ぐ場合）〉
図３は、実施例の飲用容器１に、空気抜き孔６を指で塞いだ状態で酒を注ぐ様子を説明する縦断面図である。また、図４は、実施例の飲用容器１に、空気抜き孔６を指で塞がない状態で酒を注ぐ様子を説明する縦断面図である。
【００２９】
図３に示すように、空気抜き孔６を指で塞いだ状態で盃部２に酒を注ぐと、盃部２に貯まった酒による水圧（液圧）が連通孔４における酒と貯留空間３ｃの内部の空気との界面に加わる。
【００３０】
このとき、空気抜き孔６を指で塞いでいるので、酒と空気との界面に加わった圧力により貯留空間３ｃの内部の空気の圧力が正圧になり、この空気の圧力によって貯留空間３ｃの内部への酒の浸入が妨げられ、貯留空間３ｃには酒が入り込まない。
【００３１】
また、図４に示すように、空気抜き孔６を指で塞がない状態で盃部２に酒を注ぐと、盃部２に貯まった酒による水圧（液圧）が連通孔４における酒と貯留空間３ｃの内部の空気との界面に加わるが、空気抜き孔６を指で塞いでいないので、酒と空気との界面に加わった圧力により貯留空間３ｃの内部の空気は空気抜き孔６から飲用容器１の外に出て、貯留空間３ｃの内部の空気の圧力は外気圧と変わらなくなり、酒と空気との界面に加わった圧力により酒が貯留空間３ｃの内部に入り込む。
【００３２】
〈空気抜き孔の機能の説明（酒を飲む場合）〉
図５は、実施例の飲用容器１の貯留部３に酒が貯まっている状態で、空気抜き孔６を指で塞いで飲用容器１を傾けた場合を説明する縦断面図である。
【００３３】
また、図６は、実施例の飲用容器１の貯留部３に酒が貯まっている状態で、空気抜き孔６を指で塞がないで飲用容器１を傾けた場合を説明する縦断面図である。
【００３４】
図５に示すように、空気抜き孔６を指で塞いだ状態で飲用容器１を傾けると、貯留空間３ｃの内部に貯まっている酒が、傾いた貯留部３内で下方に移動して、酒の上方の空間に空気が移動する。
【００３５】
このとき、連通孔４の高さより上方の酒による水圧（液圧）が連通孔４における酒と盃部２側の空気との界面に加わるが、酒が連通孔４から外部に出ようとすると、酒の上方の空間に貯まっている空気に負圧が生じ、この空気の負圧によって連通孔４から盃部２に酒が流出するのが妨げられる。
【００３６】
また、図６に示すように、空気抜き孔６を上にして、空気抜き孔６を指で塞がない状態で飲用容器１を傾けると、貯留空間３ｃの内部に貯まっている酒が、傾いた貯留部３内で下方に移動して、酒の上方の空間に空気が移動する。
【００３７】
このとき、空気抜き孔６を指で塞いでいないので、酒の上方の空間に貯まっている空気に負圧が生じることがなく、連通孔４から盃部２に酒が流出する。
【００３８】
〈飲用容器の使用方法（飲用容器に酒を注ぐ場合）〉
例えば、酒が振る舞われる酒席において、飲む人（酒を注いでもらう人）が飲用容器１を手にして、空気抜き孔６を指で塞いだ状態で、注ぐ人（酒を注ぐ人）に差し出して、酒を注いでもらう。
【００３９】
この時、図３に示すように、盃部２に注ぎ込まれた酒は、盃部２に貯まっていくが、注いでいる途中で空気抜き孔６から指を離すと、盃部２に貯まっていた酒が連通孔４を介して貯留部３に流れ込むので、注いでも注いでも、なかなか盃部２に酒が貯まっていかず、注ぐ人は、びっくりする。そして、このことが話題となって酒席を盛り上げることができる。
【００４０】
或いは、飲む人（酒を注いでもらう人）が飲用容器１を手にして、空気抜き孔６を指で塞がないで、注ぐ人（酒を注ぐ人）に差し出して、酒を注いでもらう。
【００４１】
この時、図４に示すように、盃部２に注ぎ込まれた酒は、遮蔽部５に設けられた４つの脚部５ｂの隙間を通って連通孔４から貯留部３に流れ込み、貯留空間３ｃに貯まる。
【００４２】
このため、盃部２には、ほとんど酒が貯まらず、当然直ぐに盃部２に酒が溜まると思っている人は、酒が盃部２から消えて無くなってしまったかのような錯角を受け、びっくりする。そして、このことが話題となって酒席を盛り上げることができる。
【００４３】
〈飲用容器の使用方法（飲用容器を用いて酒を飲む場合）〉
酒を飲みたくない人は、酒を注いでもらうときに、まず、空気抜き孔６を塞いだ状態で、盃部２に酒がある程度貯まるまで酒を注いでもらい、盃部２を口元に持ってゆき、酒に少し口を付け、相手に分からないように空気抜き孔６から指を離すと、盃部２に貯まっていた酒が連通孔４から貯留部３に流れ込む。
【００４４】
このとき、盃部２に貯まっていた酒が無くなるので、酒を飲みたくない人は、周囲の人に対して、あたかも酒を飲み干したかのように見せかけることができる。
【００４５】
また、酒を沢山飲みたいと思っている人は、酒を注いでもらうときに、まず、空気抜き孔６を塞がない状態で酒を注いでもらい、空気抜き孔６から酒が溢れる前に、空気抜き孔６を指で塞いで、さらに盃部２に酒を注いでもらう。そして、酒が盃部２にある程度貯まったところで酒を注ぐのをやめてもらう。
【００４６】
酒を飲むときには、まず、空気抜き孔６を指で塞いだままの状態で、盃部２を口元に持ってゆき、飲用容器１を傾けて盃部２に貯まっている酒を飲み干し、更に、空気抜き孔６から指を離して、貯留部３に貯まっている酒を飲む。
【００４７】
〈作用効果〉
貯留部３の上部に空気抜き孔６が設けられていて、これを指で塞ぎながら酒を注いでもらうと盃部２を満たすことができ、口を付けて頂戴しながら指を離し、空気抜き孔６を開放して、盃部２から貯留部３へ酒を流し込むことによって、あたかも、飲み干したかのように見せることができる。
【００４８】
或いは、空気抜き孔６を塞がないで酒を受け、注いでも注いでも盃部２に貯まらないので驚く様子を楽しむことができる。
【００４９】
また、貯留部３に貯まっている酒を飲むときには、空気抜き孔６を塞いだまま、盃部２を口元に持ってゆき、飲用容器を傾けて、まず盃部２に貯まっている酒を飲み、盃部２に貯まっている酒を飲み終えたところで、空気抜き孔６が上方にくるようにした状態で空気抜き孔６を開放すると、貯留部３に貯まっていた酒を連通孔４を介して盃部２に流れ出させて飲むことができる。
【００５０】
このように、酒を盃部２にだけでなく、貯留部３にも貯めて飲むことができるので、沢山の酒を飲むことができる。
【００５１】
更に、連通孔４を覆って遮蔽部５が設けられているため、注ぐ人には連通孔４が見えないので、盃部２に酒を注いだ際に、酒が連通孔４を通って貯留部３に入っていく様子も注ぐ人には見えず、注いでも注いでも盃部２には酒が貯まらないため、注ぐ人をびっくりさせることができ、その場を盛り上げることができる。
【００５２】
しかも、遮蔽部５が亀の形状を呈しているので、あたかも亀が酒を飲み干してしまったかのように見えて、酒を注ぐ人や酒を飲む人を楽しませることができる。
【００５３】
以上、本発明を実施の形態に基づき詳述してきたが、この具体的な構成に限らず、本発明の趣旨を逸脱しない程度の設計的変更は、本発明の技術的範囲に含まれる。
【００５４】
なお、本実施例の飲用容器は酒を飲むためのものとして説明してきたが、例えば、ワイン、カクテル、ジュースなどを飲む際に用いるものなどであってもよい。
【図面の簡単な説明】
【００５５】
【図１】実施例の飲用容器の全体斜視図である。
【図２】図１の飲用容器のＡ−Ａ断面図である。
【図３】実施例の飲用容器に、空気抜き孔を指で塞いだ状態で酒を注ぐ様子を説明する縦断面図である。
【図４】実施例の飲用容器に、空気抜き孔を指で塞がない状態で酒を注ぐ様子を説明する縦断面図である。
【図５】実施例の飲用容器の貯留部に酒が貯まっている状態で、空気抜き孔を指で塞いで飲用容器を傾けた場合を説明する縦断面図である。
【図６】実施例の飲用容器の貯留部に酒が貯まっている状態で、空気抜き孔を指で塞がないで飲用容器を傾けた場合を説明する縦断面図である。
【符号の説明】
【００５６】
１            飲用容器
２            盃部（器部）
２ａ          飲み口
２ｂ 底壁
３            貯留部
３ａ 周壁
４            連通孔
５            遮蔽部
６            空気抜き孔
【図１】
0004499064.tif 000002
【図２】
0004499064.tif 000003
【図３】
0004499064.tif 000004
【図４】
0004499064.tif 000005
【図５】
0004499064.tif 000006
【図６】
0004499064.tif 000007